(57)【特許請求の範囲】
【請求項１】
当技術分野におけるバッグであって、
該バッグ（１）が平らに置かれた状態のときに２つの対向する縁部（４）によって境界が定められる開口部（８）を有して形成される、例えばプラスチックフォイル（２）などの薄く可撓性を有する材料と、
該縁部（４）各々の一部または全長に沿って取り付けられる、あるいは一体となって形成される、プラスチック製であるかまたは類似の材料製である１つまたはそれ以上の補強材（５；２２、２４；２９）であって、その材料、寸法および構造が、該バッグ（１）が満たされ得る開口状態に該バッグ（１）を保持するのに十分な堅さと、該バッグ（１）がこの状態になる状態まで動かされる、または曲げられるだけの十分な可撓性を該補強材（５）が有するように選択される、補強材と、
該補強材（５）同士を相互連結する例えばフォイルヒンジ（７’’；３０）などの少なくとも１つのヒンジと、
該補強材（５）同士を互いの反対方向へ曲げるまたは動かすための手段であって、該手段が２つのアーム（９；２０；２８）を備え、該アームの各々が、少なくとも１つの該補強材（５；２２、２４；２９）に連結される、手段と、を備えた、バッグであって、
該アームを、該少なくとも１つのヒンジ（７’’；３０）のうちの１つのある地点を軸として周りを回転させることにより、該地点付近において、またはそこからある短い距離を置いた付近において、該アームにより、該補強材に対してモーメントが適用されることを特徴とする、バッグ。
【請求項２】
前記アーム（９；２０；２８）各々の一端部は、前記補強材（５；２２、２４；２９）の一端部（６’’）において、またはそこからある距離を置いた位置において、該補強材に対して、軸の周りを回転可能に連結され、該アームと該補強材との間の予め決められた角度において、該アームが、該補強材との関係においてそれ以上軸の周りを回転しないようにされ、その結果、該アームが連結されている該補強材同士の間の前記ヒンジ（７’’；３０）付近にモーメントが適用され得ることを特徴とする、請求項１に記載のバッグ。
【発明の詳細な説明】
【技術分野】
【０００１】
（発明の分野）
本発明は、当技術分野において公知の種類のバッグであって、バッグが平らに置かれた状態のときに２つの対向する縁部によって境界が定められる開口部を有して形成される、例えばプラスチックフォイルなどの薄く可撓性を有する材料と、該縁部各々の一部または全長に沿って取り付けられるか、あるいは一体となって形成される、プラスチック製であるかまたは類似の材料製である１つまたはそれ以上の補強材であって、その材料、寸法および構造が、バッグが満たされ得る開口状態にバッグを保持するのに十分な堅さと、バッグがこの状態になる状態まで動かされる、または曲げられるだけの十分な可撓性を補強材が有するように選択される、補強材と、補強材同士を相互連結する例えばフォイルヒンジなどの少なくとも１つのヒンジと、補強材同士を互いの反対方向へ曲げるまたは動かすための手段と、を備えた、バッグに関する。
【背景技術】
【０００２】
（発明の背景）
バッグは、例えばごみを集めたり食物を冷凍したり等するために、大量に使用される。このようなバッグは、代表的にプラスチックフォイルより成る。プラスチックフォイルは薄く、可撓性が高いので、この材料より成るバッグは、満たされている間に開けたまま保持するのが難しい。したがって、バッグを満たすのに、不相応なほど長時間を要する。加えて、操作者は、特に流体や粘性の製品をバッグに詰めようとするときに、こぼしたり、バッグの外側やバッグを保持する手の指を汚したりする恐れがある。最後に、汚れた指で触れた場合に、バッグの内側が汚染される危険がある。こうしたことは、開口部を強化して維持するために、バッグの開口端部が内側および外側に数回折り曲げられがちであるために、しばしば起こるケースである。
【０００３】
したがって、多くの場合において、うまくバッグを満たすためには、１人がバッグを開けて保持し、もう１人がバッグを満たすという風に、２人が互いに助け合う必要がある。この方法においては、バッグに満たされている内容物をこぼしたりそれによって指が汚れたりする危険は最小限に抑えられる。しかし、バッグに満たされるべき内容物が汚れた指で汚染される危険は依然としてあり、バッグを満たす際の所要時間を合わせると、長くなりがちである。
【０００４】
（先行技術の説明）
バッグが満たされているときに開けたまま保持するために、分離したフレームを用いて、この問題を解決しようとする試みがなされてきた。このようにすると、操作者の両手が自由になって、素早くバッグを満たすことができる。上述の、バッグの内容物をこぼしたり、内容物で指を汚したり、内容物を汚染する危険は、同時に最小限に抑えられるか、あるいは除かれる。これらの利点は、フレームを使うべきときに取り出し、使用後に片付けるのに比較的長時間を要するという不利な点によって相殺される。したがって、操作者がこのようなフレームを有していたとしても、満たすべきバッグが１つや２、３つだけである場合は、めったに、あるいはほぼ全く使用されないことがほとんどである。
【０００５】
例えば、米国特許番号４，０２３，８４２および５，９１３，４９６から、バッグが満たされている間に開けたまま保持するための、このような分離したフレームが公知である。これらのフレームは、使用していない時に場所をとり、バッグの開口部に適合させるのが難しく、時間がかかる。また、非常に残念で厄介なことに、フレームがバッグにうまくしっかりと適合して支持すればするほど、使用後にバッグから取り除くのが難しくなるという、比例の関係があるようである。
【０００６】
その他のバッグとしては、満たされる間にバッグを開けたまま保持する助けとしてバッグの縁部に補強材を組み込んだものが公知である。このようなバッグの一例が、ドイツ国特許番号２，９１２，１１１によって提供される。ドイツ国特許番号２，９１２，１１１が提供するバッグは、バッグの各縁部に沿って補強材を備えたプラスチックバッグを含む。補強材同士は、一方の端部において連結され、連結されていない端部において外側に湾曲することによってバッグが開いたまま保持されるように製造される。バッグを閉じたいときは、補強材同士が互いに押し付けられ、補強材に一体化された施錠装置によって互いにロックされる。
この種類の別のバッグとしては、米国特許番号５，６０９，４１９のものが公知である。米国特許番号５，６０９，４１９が提供するバッグは、登山者が粉チョークを携帯するのに使用する。バッグの各縁部に、弓状に形成された補強材が取りつけられている。一方の補強材は非常に堅く、もう一方の補強材はより可撓性を有する。閉じられた位置において、２つの補強材は、互いの隣に位置することにより、バッグの縁部が弓状に形成される。バッグを開けたいときは、使用者が、より可撓性を有する補強材に連結された２つのタブのうちの１つを引っ張ることにより、可撓性を有する補強材を堅い補強材から引き離す。このようにして、バッグが開らき、円形の開口部が得られる。
【０００７】
このようなバッグの三つめとして、仏国特許番号２，８２２，１３６のものが公知である。米国特許番号５，６０９，４１９が提供するバッグと類似のバッグが提供される。仏国特許番号２，８２２，１３６においては、２つのアームがそれぞれ、可撓性を有する補強材の各端部に配置され、それらに圧力を加えることにより、より可撓性を有する補強材が押されて、堅い補強材から離される。米国特許番号５，６０９，４１９と同様、閉じられた位置において、バッグの縁部は弓状に形成される。
【発明の開示】
【発明が解決しようとする課題】
【０００８】
（本発明の要旨）
本発明の目的は、フレーム等の分離した補助ツールを使用せずに、バッグに入れられている内容物がこぼれ、内容物によって指が汚れたり、バッグに入れられるべき内容物が汚れた指によって汚染されたりする危険性が除かれたり最小限に抑えられたりするような方法で、単独の操作者によって、素早くかつ容易に満たされることが可能な、前置きで挙げられた当技術分野のバッグを提供することである。
【０００９】
本発明の別の目的は、操作者が片手で容易に開けたまま保持し得る、前置きで挙げられた当技術分野のバッグを提供することである。加えて、空のときにあまりスペースをとらないバッグを提供することが所望される。
【課題を解決するための手段】
【００１０】
本発明によれば、補強材を動かすまたは曲げるための手段が２つのアームを備え、各アームが少なくとも１つの補強材に連結され、少なくとも１つのヒンジのうちの１つの地点付近において、またはそこからある短い距離を置いた付近において、該アームにより、補強材に対してモーメントが適用されることにより、目的は達成される。留意すべきは、補強材を動かすまたは曲げるための手段は、２つより多いアームを備え得ることである。２つのアームというのは、単なるひとつの実用的な実施形態である。
【００１１】
このようにして、バッグが満たされている間、開けたまま保持するための、分離したフレームの必要性は除かれる。こうして、外側に曲げられた状態にあってバッグを開けたまま保持し、バッグに取り付けられるか、または一体となって形成される補強材が、この事態を有利に解決する。
【００１２】
加えて、補強材を曲げるためのモーメントが、操作者が補強材に取り付けられたアームを押し付けることによって生み出されるので、補強材が予め湾曲した形状に形成される必要はない。多くの先行技術の、自らを開いたまま保持するバッグを与えるタイプにおいて、補強材は予め湾曲させてある。このことにより、バッグを保管するのが困難になる。補強材を予め湾曲させることはまた、保管下において補強材の材料に圧力をもたらすことにもなり、結果として疲労および／またはたわみを生じさせ得る。これが、予め湾曲させた補強材を備えたバッグの使用可能期間を減じることになる。予め湾曲させることにより、材料の選択も制限される。本発明によれば、操作者がアームの押し付けを止めると、補強材が曲がってまっすぐな形状に戻り得る。
【００１３】
更に、本発明によるバッグは、バッグに入れられている内容物がこぼれ、内容物によって指が汚れたり、バッグに入れられるべき内容物が汚れた指によって汚染されたりする危険性が除かれたり最小限に抑えられたりするような方法で、単独の操作者によって満たされることを可能とする。
【００１４】
満たされる間、開いたまま安全に保持し、生産するのに最適な安価でもあるバッグを得るためには、補強材を生産するための材料や、その構造および寸法が、バッグが満たされ得る開口状態にバッグを保持できるだけの十分な堅さと、バッグがこの状態になる配置まで曲げられるだけの十分な可撓性を補強材が有するように選択されるべきである。
【００１５】
本発明に従ったバッグの第１の実施形態において、アームは、バッグが閉じる開始位置において、対応する補強材に沿って、その反対の端部の方向に伸長し、バッグが開く終了位置において、相互に沿って伸長し得る。
【００１６】
各アームは、例えばフォイルヒンジなどのヒンジを介して、補強材の一端部において、またはそこからある距離を置いた位置において、対応する補強材に対して、軸の周りを回転可能に連結され得、アームと補強材との間の予め決められた角度において、アームが、連結されている補強材の部分との関係においてそれ以上軸の周りを回転しないようにされ得、よって、アームが連結されている補強材同士の間のヒンジ付近にモーメントが適用され得る。これにより、アームのコンパクトな収容位置が可能となる。
【００１７】
１つの実施形態において、モーメントを適用する連結部は、可撓性の、あるいは関節でつながったストラップであり得、これが、補強材同士の間のヒンジおよびアームと補強材との間のヒンジからある距離を置いて、アームと補強材、それぞれのある領域に連結される。ストラップは、張り詰めると、フォイルヒンジと共にモーメントアームをつくり出し、これが、アームが補強材にモーメントを伝達し得る、予め決められた角度の位置を定義する。この解決法の助けにより、アームと補強材との間に、比較的大きなモーメントが適用され得る。
【００１８】
別の実施形態において、アームおよび補強材の端部は、アームが予め決められた角度の位置に達したときに相互に押し合って、それによりアームが補強材にモーメントを伝達し得るように形成される。この位置において、フォイルヒンジは端部表面と共にモーメントアームを作り出し、アームと補強材との間に所望のモーメントを伝達する。この解決法は、比較的簡単で安価である。
【００１９】
アームは、終了位置において立ち上がると、バッグが満たされている間、楽に持っているためのハンドルとして有益に使用され得る。アームは、施錠手段、例えば、１つまたはそれより多い施錠可能なスナップファスナーと共に形成され得、終了位置においてアーム同士を保持し、それによりバッグの扱いがより容易になる。
【００２０】
別の実施形態において、その周囲において補強材にモーメントが適用されるヒンジは、補強材に対してある角度を成して形成され得る。このようにして、アームは、補強材に対してある角度を成して配置され得る。
【００２１】
補強材は加えて、片方の補強材に溝、もう片方の補強材に相補的なリブを配置する形状の、公知の施錠装置と共に形成され得る。補強材同士が押し付けられると、施錠装置がロックされ、補強材同士が共に保持される。この閉じられた状態においては、バッグは、例えば移送や保管の間、必要以上に満たされることがない。加えて、施錠装置は、例えばフリーザーバッグなどのバッグが、冷凍されるべき製品で満たされたときにそれを封印するために使用され得る。
【００２２】
また、多くの現在入手可能なバッグを封印する、および／または閉じる手段、例えばＺｉｐＬｏｃＴＭなどのうちの１つを、バッグと一体となって形成し得る。
【００２３】
更に、ヒンジの周囲にモーメントが適用されたときに、施錠および／または封印装置が解除されるように、補強材を配置し得る。このようにして、片手だけで施錠および／または封印装置を開くのがより容易になる。
【００２４】
また、補強材は、１つより多くの部品が、例えばフォイルヒンジなどのヒンジによって相互連結されて構成され得る。このことは、バッグが開けられたときに、補強材が、湾曲した部分とまっすぐな部分の両方から成る、連続しない形態を与え得ることを意味する。加えて、２つの補強材が、バッグの縁部の一部のみに沿って伸び得、必ずしも両端部において相互連結されない。
【００２５】
更に、アームは、補強材の端部に直接取り付けられる必要はなく、補強材の全長にわたっていかなる位置にも配置され得る。このようにして、補強材が互いに対向する距離の一部のみを離して開けることが可能となる。
【００２６】
以下、本発明についてより詳しく述べるが、実施形態の例については、添付の図面を参照して説明がなされる。
【発明を実施するための最良の形態】
【００２７】
（本発明のいくつかの好ましい実施形態の説明）
以下の説明は、本発明に従ったバッグの実施形態の例に基づいており、この場合においてバッグは、バッグ開口部の２つの縁部の各々に沿って伸びる１つのみの補強材を有し、該補強材は、その端部において、フォイルヒンジによって相互連結される。
【００２８】
図１および図２は、本発明に従ったバッグの第１の実施形態を示す。この場合、バッグ（１）は、薄いプラスチックフォイル（２）より成る２つの長方形のシートが、３つの縁部（３）において互いに接合されることにより形成され、４つめの縁部（４）において開口している。このタイプのバッグは、例えばごみを詰めたり食物を冷凍したりなど、多くの異なる用途において使用される。しかし、薄く、非常に柔軟なフォイル材料であるため、バッグを開けたまま保持することは難しい。
【００２９】
そこで、例えば溶接または接着などの手段によって、補強材（５）が、２枚のプラスチックフォイルシート（２）の開口部縁部（４）に沿って取り付けられる。補強材（５）は、その端部（６’）、（６’’）において、フォイルヒンジ（７’）、（７’’）を用いて互いに接合される。これにより、開口部（８）に剛性が与えられる。１つのヒンジ（７’）または（７’’）付近において、補強材に対して曲げモーメントが適用されると、補強材（５）は曲げられて、湾曲した形状となり、それによってバッグが開口したまま保持される。
【００３０】
補強材（５）に曲げモーメントを適用するために、フォイルヒンジ（１０）を用いて、アーム（９）が、各補強材（５）の一端部（６’’）に取り付けられる。アーム（９）は、補強材（５）に沿って伸びるように、フォイルヒンジ（１０）を軸としてその回りを回転させ得る。
【００３１】
アームはまた、フォイルヒンジによって、補強材の端部からある距離を置いて補強材に取り付けられ得、さらに、補強材と角を成し得ることが注目される（示されていない）。
【００３２】
図３〜５に示された通り、アーム（９）は、補強材（５）から遠ざかる方向に、フォイルヒンジ（１０）を軸としてその回りを回転させ得る。アーム（９）と補強材（５）との間に、可撓性のストラップ（１１）が取り付けられる。アーム（９）と補強材（５）との間の角が予め決められた値に達すると、ストラップ（１１）は張り詰め、その張り詰めたストラップおよびフォイルヒンジ（１０）によって与えられた曲げモーメントが、フォイルヒンジ（７’’）付近において補強材（５）に適用される。アーム（９）をさらに回転させると、補強材（５）に適用されたモーメントの力により、補強材（５）は、お互いから遠ざかるように外に曲げられる。補強材の両端部（６’）、（６’’）がフォイルヒンジ（７’）、（７’’）を介して連結されているので、補強材（５）は、例えば図５に示されるようなほぼ円形の形状などの、湾曲した形状になる。
【００３３】
ストラップ（１１）については、可能な実施形態が多数ある。１つの可能な実施形態が、図６に示される。この実施形態においては、各ストラップ（１１）は、２つのプラスチックリンク（１２）がフォイルヒンジ（１３）によって互いに接合されて構成される。該２つのプラスチックリンク（１２）は、フォイルヒンジ（１０）からある距離にあり、２つのフォイルヒンジ（１４）を介して、それぞれアーム（９）および補強材（５）に接合されている。アーム（９）が補強材（５）に沿って折りたたまれると、ストラップは半分に折りたたまれる。ストラップ（１１）の別の実施形態は、プラスチック製であるかまたは類似の材料製である細く可撓性のバンドまたはひもである。
【００３４】
格別な強度を与えるために、ストラップは異なる方法で形成され得る。例えば、各アームに対して２つのストラップが、一方が他方に重ねられる形で使用され得る。この場合において、上のストラップが張った状態になると、下のストラップは圧縮状態になる。
【００３５】
図７〜１０は、図１〜６に示されたバッグの変形を示す。したがって、同一の部品については、図１〜６に使用されたのと同じ参照番号が使用される。この変形において、アーム（９）の端部表面（１６）および補強材（５）の端部表面（１５）は、アーム（９）と補強材（５）との間の予め決められた角度において、アーム（９）の端部表面（１６）が補強材（５）の端部表面（１５）と接触するように形成される。アーム（９）に力が適用されると、アーム（９）は、接触する端部表面およびフォイルヒンジ（１０）によって与えられる曲げモーメントを補強材（５）に適用する。
【００３６】
フォイルヒンジ（７’’）付近に曲げモーメントが適用されると、補強材はお互いから離れるように曲がり、例えば図９に示されるような円形の形状などの、湾曲した形状になる。
【００３７】
バッグ（１）をより使いやすくするために、アーム（９）は、一体となって形成された締付けメカニズムを有し得、一旦補強材（５）が湾曲した形状に曲げられ、バッグ（１）が開いたまま保持されると、アーム（９）は端の位置に共に保持される。締付けメカニズムは、例えばフック（１７）であり得、アームの１つに備えられ、バッグが開口する位置において対向するアームと係合する。フックを曲げて対向するアームから離すことにより、アーム同士は、片手でも容易に再び離し得る。
【００３８】
図１１および図１２は、本発明に従ったバッグの第２の実施形態を示す。図１１および図１２に示されたバッグ（１）は、原則として、図１〜１０に示されたバッグと同様に構成される。図を簡略化するために、アームは示されていない。しかし、この場合において補強材（１８）は、施錠装置（１９）と一体となって形成されている。該施錠装置（１９）は、雄型部（１９’）および雌型部（１９’’）から成り、これらは、係合したときにバッグを封印し、補強材（１８）を共に保持する。図１および図１０に示されたバッグのように、補強材（１８）は、バッグの上方縁部（４）に沿ってバッグに取り付けられる。図１１の線Ｘ−Ｘに沿って切断したバッグ（１）の断面図であり、係合する施錠装置（１９）を備えるものが、図１２に示される。
【００３９】
バッグ（１）の第２の実施形態において与えられる施錠装置（１９）は、バッグが一旦満たされるとバッグを閉じて封印するために使用され得る。これは、例えば食物の冷凍などの用途において有用である。バッグを封印するために従来型のひも結びの代わりにこの施錠装置を使用することにより、バッグはより短くなり得、それによりバッグの製造中にプラスチックフォイルを節約できるという利点もさらに得られる。図１１〜１２に示された種類の施錠装置は、多くの異なる実施形態が知られている。非常によく知られたタイプのものが、ＺｉｐＬｏｃＴＭである。本発明に従ったバックは、一般に知られたこれらの施錠装置いずれとも共に使用され得る。
【００４０】
操作者によっては、バッグから補強材（１８）を切り離し、例えば従来型のひも結びによってバッグ（１）を閉じるのを好む場合もある。この場合は、施錠装置（１９）は、１つまたはそれ以上のスナップファスナーであり得る。
【００４１】
図１３〜１５は、施錠装置（２１）を開けるのにアーム（２０）を使用し得る方法を示す。図１３〜１５におけるアームは、図３〜６に示されたアームと類似する。図１３において、バッグは閉じた位置にあるのが示され、施錠装置は係合している。施錠装置（２１）は、雄型ロッキング部（２３）を備えた第１補強材（２２）と、雌型ロッキング部（２５）を備えた第２補強材（２４）とから成る。図３〜６に示された種類の、関節でつながったストラップ（２６）が、補強材（２２）、（２４）の上部に取り付けられる。操作者によってアーム（２０）が互いにプレスされると、補強材（２２）、（２４）は、施錠装置（２１）の軸の周りを回転する。これは、関節でつながったストラップ（２６）が、補強材（２２）、（２４）の中間部ではなく、上部に備えられるからである。図１４は、どのように補強材（２２）、（２４）が回転され、施錠装置（２１）が解除されていくかを示す。図１５は、どのように施錠装置（２１）が解除されたかを示す。
【００４２】
上述の実施例においては、補強材同士の間に回転動作が起こって、施錠装置を開ける助けとなる。施錠装置を開ける助けとして、多くのその他の方法もまた使用され得る。例として、２つの補強材が直線的に動かされたり、互いに対して捻られたりするメカニズムが挙げられる。
【００４３】
図１６〜１７は、本発明に従ったバッグ（２７）の第３の実施形態を示す。この場合においては、バッグの中心付近において、アーム（２８）が、ある角度を成して補強材（２９）に取り付けられる。ヒンジ（３０）は、その周囲をアーム（２８）が回転するが、補強材（２９）に対してある角度を成す。アーム（２８）が補強材から遠ざかるように曲げられると、前述の種類の関節でつながったストラップ（３１）が、補強材（２９）に対してモーメントを適用する。ヒンジ（３０）は、２つの補強材を物理的に連結していないことに留意されたい。これは、２つの補強材がそれを軸としてその回りを回転する、単なる地点であって、効果としてヒンジのように作用する。
【００４４】
アームをバッグの中心付近に配置することは、重いバッグが使用される場合、またはバッグの幅全体に及ばない開口部が必要とされる場合に有用である。アームをバッグの中心付近に配置することにより、操作者は、バッグをその重心付近で保持するので、アームまたは保持地点付近においてバッグの重量によって起こるモーメントは、より小さくなる。この場合において、操作者はまた、補強材とアームの両方を介してバッグを保持し得、それにより、バッグの安定性およびバッグに入れて運び得る重量が更に増す。
【００４５】
非常に大きなバッグが使用される場合、図３〜６に示されたようなアーム装置が、バッグの両端部に取り付けられ得る。これにより、バッグの両端部が、開いたまま適切に保持され、支持されるようになる。図７〜１０に示されたような、アームを共にロックするための施錠装置が、これらの場合において有用であろう。
【００４６】
多くのその他の形状のアームメカニズムもまた推測され得る。死点を突き抜けることによりトグル装置を形成するアームメカニズムは、開閉位置を備えたバッグを与えるので、操作が非常に容易になる。
【００４７】
補強材およびアームの外形が上に述べられ、長方形のものとして図に示されているが、本発明の範囲内において、他のいかなる有用な形状も有し得る。例えば外形は、比較的細くあり得、それによって剛性はリブの手段によって得られる（示されていない）。別の有利な実施形態においては、剛性を与えるために、外形は波状であり得る（示されていない）。どちらの場合でも、材料が節約される。
【００４８】
各補強材は、長手方向において波状でもあり得（示されていない）、補強材の長手方向への伸長を可能にすることにより、バッグが、例えばごみ入れの周囲に容易にしっかりと締められ得る。このように、補強材はゴムバンドのように作用し、ごみ入れの周囲のグリップをしっかり締める。
【００４９】
２つの補強材の間にフリーセクションが残るように、バッグの開口部の縁部に沿って補強材が部分的に伸びるのみの実施形態においては、このセクションおよび／またはバッグ全体に、更にしわが寄せられ得（示されていない）、それによって、少なくとも開口部においてバッグの直径を変えることができるので有利である。これはまた、フレームまたはごみ入れの上に片手でバッグを置く際に有利でもあり得る。
【００５０】
補強材がバッグに溶接または接着され得ることは上に述べられている。補強材はまた、本発明の範囲内において、縁部に一体となって形成された部分でもあり得る。補強材は、例えばバッグの縁部と一体式であり得、あるいは、縁部が、例えば紫外線によって堅くされたものであり得る。この場合において、縁部は、１回またはそれ以上折りたたまれることによって更に補強され得る。
【００５１】
また、本明細書において言及されたヒンジが多くの異なる形状をとり得ることも述べられるべきである。加えて、ヒンジは、全ての場合において物理的な連結である必要はない。例えば、相互に接触する２つの物体が相互に対して回転する地点であれば、たとえその物体が物理的ヒンジによって連結されていなくとも、ヒンジとして機能し、ヒンジと呼ばれ得る。更に留意すべきは、アームを補強材に連結するヒンジと、補強材同士を連結するヒンジとが、同一の地点に配置される必要はないことである。また、アームは、補強材上の異なる地点および角度において連結され得る。
【００５２】
本発明に従ったバッグは、バッグに入れられている内容物がこぼれ、内容物によって指が汚れたり、バッグに入れられるべき内容物が汚れた指によって汚染されたりする危険性が除かれたり最小限に抑えられたりするような方法で、単独の操作者によって、素早くかつ容易に満たされ得る。
【００５３】
別の利点は、本発明のバッグが、例えばごみ入れの上に素早くかつ容易に載せたりおろしたりでき（示されていない）、それによって、バッグがしっかりと固定されていなくとも、載せられた状態で安定な位置にあることにある。
【００５４】
上で名を挙げ、図面において示された施錠装置は、例えば冷凍されるべき物によって満たされたときにバッグを封印するために使用され得る利点がある。しかし、プラスチックは、圧力が加えられるとそのうちにたわむ傾向にあるので、施錠装置が、多かれ少なかれ効果がなくなる危険がある。この課題を解決するために、施錠装置が閉められていない状態でバッグが保管され得、したがって圧力がかからないという利点を有する。この場合において、フォイルヒンジは格別に大きくあり得、それによって、補強材同士が互いに沿って配置され、施錠装置が容易に開いた状態になることが可能となる（示されていない）。
【図面の簡単な説明】
【００５５】
【図１】図１は、バッグの開口部の縁部に沿った補強材と、補強材を曲げるためのアームとを備えた、本発明に従ったバッグの第１の実施形態を、側面から見たものを断片的に示す。
【図２】図２は、図１と同じものを、図１の線ＩＩ−ＩＩに沿って切断した断面図を示す。
【図３】図３は、アームと補強材との間でモーメントを伝達するためのメカニズムを備えた、図１および図２に示されたバッグが開始位置にあるのを、上からみた様子を示す。
【図４】図４は、同じものが、アームが軸の回りを回転して、モーメントが適用され得る角度の位置になった様子を示す。
【図５】図５は、同じものが、アームが軸の回りを回転して、適用されたモーメントが補強材を曲げている終了位置になった様子を示す。
【図６】図６は、アームと補強材とを連結するストラップの１つの実施形態の詳細図を示す。
【図７】図７は、アームと補強材との間でトルクを伝達するためのその他のメカニズムを備えた、図１および図２に示されたバッグが開始位置にあるのを、上からみた様子を示す。
【図８】図８は、同じものが、アームが軸の回りを回転して、モーメントが適用される角度の位置になった様子を示す。
【図９】図９は、同じものが、アームが軸の回りを回転して、適用されたモーメントが補強材を曲げている終了位置になった様子を示す。
【図１０】図１０は、バッグの開口状態においてアーム同士を共にロックするために使用される固定メカニズムを詳しく示す。
【図１１】図１１は、バッグの開口部の縁部に沿って取り付けられた補強材を備えた、本発明に従ったバッグの第２の実施形態を、側面から見たものを断片的に示しているが、留意すべきは、図を簡略化するために、アームは示されていないことである。
【図１２】図１２は、図１１と同じものを、図１１の線Ｘ−Ｘに沿って切断した断面図を示す。
【図１３】図１３は、第１状態にある、封印および開封装置を備えた、本発明に従ったバッグの第３の実施形態の端面図を示す。
【図１４】図１４は、同じものが第２状態にある様子を示す。
【図１５】図１５は、同じものが第３状態にある様子を示す。
【図１６】図１６は、閉じられた状態にある、本発明に従ったバッグの第３の実施形態を示す。
【図１７】図１７は、開いた状態にある同じものを示す。
【図１】
0004538446.tif 000002
【図２】
0004538446.tif 000003
【図３】
0004538446.tif 000004
【図４】
0004538446.tif 000005
【図５】
0004538446.tif 000006
【図６】
0004538446.tif 000007
【図７】
0004538446.tif 000008
【図８】
0004538446.tif 000009
【図９】
0004538446.tif 000010
【図１０】
0004538446.tif 000011
【図１１】
0004538446.tif 000012
【図１２】
0004538446.tif 000013
【図１３】
0004538446.tif 000014
【図１４】
0004538446.tif 000015
【図１５】
0004538446.tif 000016
【図１６】
0004538446.tif 000017
【図１７】
0004538446.tif 000018